(57)【要約】【課題】  組紐構造のロープ本体に分解したストランドを差し込むことなく、ロープ端末にアイスプライスを形成することができ、従来のアイスプライスよりも高い破断強度を実現することのできる、アイスプライスの構造を提供する。【解決手段】  組紐構造のロープ１のロープ本体２の端部を個々のストランド５に分解し、前記ロープ本体２と同一の組紐構造を有するアイスプライス用ロープ７の両端部から、前記ロープ本体２のストランド５を半分ずつ、左右異なる方向から組み込んでなることを特徴とする、ロープのアイスプライスの構造。【選択図】          図１
2019137939.tif 000002
【特許請求の範囲】
【請求項１】
組紐構造のロープ（１）のロープ本体（２）の端部を個々のストランド（５）に分解し、前記ロープ本体（２）と同一の組紐構造を有するアイスプライス用ロープ（７）の両端部から、前記ロープ本体（２）のストランド（５）を半分ずつ、左右異なる方向から組み込んでなることを特徴とする、ロープのアイスプライスの構造
【請求項２】
前記ロープ（１）は、組紐構造を有するロープ本体（２）の中心軸に沿って、柔軟な長尺物を挿通してなるものであることを特徴とする、請求項１に記載のロープのアイスプライスの構造
【請求項３】
前記長尺物が、チューブ（３）内に金属線（４）を挿通してなるものであることを特徴とする、請求項２に記載のロープのアイスプライスの構造
【請求項４】
前記金属線（４）が、通信線又は電力供給線であることを特徴とする、請求項３に記載のロープのアイスプライスの構造
【発明の詳細な説明】
【技術分野】
【０００１】
本発明は、八つ打ちや十二打ちなどの組紐構造のロープの端末に、アイスプライスを形成してなるロープの構造に関するものである。
【背景技術】
【０００２】
前述のような組紐構造のロープの端末にアイスプライスを形成したものとしては、例えば実用新案登録第３０７６０２７号に記載されたものなどが知られている。このものは図１に示すように、一本のロープ１の端末をストランド５にまで分解し、その分解したストランド５をロープ本体２の間に差し込んで環を形成し、アイスプライス６とするものである。
【０００３】
かかるアイスプライスの加工は古くから行われている周知の技術であるが、かかるアイスプライスを形成することによりロープの破断強度が低下し、十分な強度を確保できないという問題があった。
【０００４】
このように強度が低下する原因としては、ロープ１を分解したストランド５をロープ本体２に差し込むことにより、その分ロープ本体２の組紐組織のピッチが短くなり、ロープ本体２に対してストランド５が大きい角度で組み込まれることとなり、その分強度が低下することとなるのである。
【０００５】
またロープの破断強度は、ロープ１を構成する各ストランド５のすべてに均等に力が加わることを前提に設定されているが、前述のようなアイスプライス６を形成すると、ロープ本体２のストランド５の間に分解したストランド５を差し込むので、その差し込まれた側のストランド５の均等性が失われ、強度が低下することとなる。
【０００６】
また前述のような組紐構造のロープの中心軸に沿って何らかの長尺物を挿通したロープとしては、金属線を挿通した特開平１０−１６８７７２号公報などに示されるものが知られている。かかるロープは当該ロープの両端において前記金属線を介して通信を行ったり、前記金属線を通じて電力を送ったりするために使用されるものである。
【０００７】
しかしながらかかるロープにおいては、金属線の周囲が繊維で覆われており、このロープにテンションをかけて引っ張ったときには、繊維のロープ本体は伸張するものの、その中心に挿通された金属線は伸張することができず、またその周囲が繊維で覆われていて摩擦抵抗が大きいため、金属線にのみ大きな張力が作用することとなり、金属線が破断することも有り得る。
【０００８】
そのためロープにテンションが作用したときに、ロープ本体のみが伸張することがなく、ロープ本体と金属線とが互いに滑ることができるように、図２に示すように、多数のストランド５を組んでなる組紐構造のロープ本体２の中心軸に沿って、柔軟なプラスチックのチューブ３を挿通し、当該チューブ３内に金属線４を挿通してなるロープ１が使用されている。
【０００９】
このようにすることにより、プラスチックのチューブ３の内面が滑らかであるために、当該チューブ３と金属線４とは比較的簡単に滑ることができ、ロープ１にテンションが掛かったときにロープ本体２とチューブ３のみが伸張し、金属線４は伸張しないことができ、金属線４が破断することがないのである。
【００１０】
かかるロープ１において、ロープ１自体に単純なテンションがかかったときには、金属線４が破断することはないのであるが、このロープ１にアイスプライス６を形成したときには、当該アイスプライス６の部分において金属線４に過大な力が作用し、破断する可能性が生じるのである。
【００１１】
すなわち図３に示すようにロープ１にアイスプライス６を形成する場合には、ロープ本体２の途中からストランド５の間を通して、ロープ本体２の外にチューブ３及び金属線４を引き出し、当該ロープ本体２の先端部をループ状に湾曲させ、ロープ本体２の先端を各ストランド５に分解し、当該分解されたストランド５をチューブ３及び金属線４を引き出した際からロープ本体２のストランド５に挿入して、アイスプライス６を形成することとなる。
【００１２】
ところがかかる構造においてアイスプライス６を支持部材に引っ掛けてロープ１に大きなテンションを作用させると、チューブ３及び金属線４を引き出した部分のストランド５がチューブ３を強く押圧し、当該チューブ３を押し潰して金属線４に押し付け、この状態でさらにテンションを作用させることとなるので、チューブ３が局部的に金属線４に押し付けられた状態でロープ本体２が伸張し、伸度の小さい金属線４がその伸張に追従することができず、破断する可能性が生じるのである。
【００１３】
また前記図２と同様のロープ本体２の中心軸に沿って、プラスチックの柔軟なチューブ３のみを挿通し、当該チューブ３を透して潜水夫などに空気を送ることができる、潜水夫用ロープも使用されているが、かかるロープ１においてもその端末にアイスプライス６を形成し、ロープ１に大きなテンションが作用したときには、アイスプライス６の箇所において前記チューブ３が押し潰されて、潜水夫に十分な空気を送ることができなくなる可能性も指摘されている。
【先行技術文献】
【特許文献】
【００１４】
【特許文献１】実用新案登録第３０７６０２７号公報
【特許文献２】特開平１０−１６８７７２号公報
【発明の概要】
【発明が解決しようとする課題】
【００１５】
本発明はかかる事情に鑑みなされたものであって、組紐構造のロープ本体に分解したストランドを差し込むことなく、ロープ端末にアイスプライスを形成することができ、従来のアイスプライスよりも高い破断強度を実現することのできる、アイスプライスの構造を提供することを目的とするものである。
【００１６】
また本発明の他の目的は、組紐構造のロープ本体２の中心軸に沿って柔軟なチューブ３や金属線などの長尺物を挿通してなるロープ１において、その端部にアイスプライス６を形成して、そのロープ１に大きなテンションがかかったときに前記チューブ３が押しつぶされることがなく、また前記長尺物が切断されることがないようにすることを目的とするものである。
【課題を解決するための手段】
【００１７】
而して本発明は、組紐構造のロープのロープ本体の端部を個々のストランドに分解し、前記ロープ本体と同一の組紐構造を有するアイスプライス用ロープの両端部から、前記ロープ本体のストランドを半分ずつ、左右異なる方向から組み込んでなることを特徴とするものである。
【００１８】
本発明においては、前記ロープは、組紐構造を有するロープ本体の中心軸に沿って、柔軟な長尺物を挿通してなるものであることができる。前記長尺物としては、チューブ内に金属線を挿通してなるものであることが好ましい。また前記金属線が、通信線又は電力供給線であることが可能である。
【図面の簡単な説明】
【００１９】
【図１】従来の方法においてアイスプライスを形成したロープを示すものであって、（ａ）は正面図、（ｂ）は横断面図である。
【図２】本発明において使用する長尺物を挿通したロープを示すものであって、（ａ）は正面図、（ｂ）は横断面図である。
【図３】従来の方法においてアイスプライスを形成したロープの正面図
【図４】本発明においてアイスプライスを形成する前の状態を示す正面図
【図５】本発明のロープにアイスプライスを形成した状態を示す正面図
【発明を実施するための形態】
【００２０】
以下本発明を図面に基づいて説明する。図４は本発明のロープ１にアイスプライス６を形成する前の状態を示すものである。当該ロープ１のロープ本体２は図２に示すように、八本のストランド５を角八つ打ちの組紐構造に組んだクロスロープであって、当該ロープ本体２の中心軸に沿って柔軟なチューブ３が挿通されており、当該チューブ３内に金属線４が挿通されている。
【００２１】
なお本発明におけるロープ本体２は、必ずしも角八つ打ちのクロスロープである必要はなく、偶数のストランド５を筒状の組紐構造に組んだ構造を有しておれば足り、八つ打ち、十二打ちなどの構造であってもよい。
【００２２】
また以下の説明ではロープ本体２の中心軸に沿ってにチューブ３及び金属線４が挿通されているものとして述べるが、本発明の最初の目的に対しては、ロープ本体２にチューブ３及び金属線４が挿通されていなくても良い。また第二の目的に対しては、ロープ本体２に何らかの長尺物が挿通されていれば足りるのであって、前記チューブ３内に金属線４が挿通されていることは必ずしも必要ではない。
【００２３】
而して当該ロープ１のロープ本体２の端部は個々のストランド５に分解されており、当該ストランド５は半分すなわち四本ずつ左右に分けられており、左に分けたものを５ａ、右に分けたものを５ｂとする。そしてチューブ３及び金属線４は、左右に分けられたストランド５の間から突出している。
【００２４】
そして７はアイスプライス用ロープであって、前記ロープ本体２と同一の組紐構造を有する短尺のロープであり、このアイスプライス用ロープ７をアイスプライスを形成するように湾曲させて、ロープ１の端部に配置している。
【００２５】
そしてこのロープ１とアイスプライス用ロープ７とを図４に示すように、ロープ本体２の分解したストランド５をアイスプライス用ロープ７の両端部から、ストランド５の間に挿入して組み込んでいる。
【００２６】
すなわち図５において、ロープ１における左に分解したストランド５ａを、アイスプライス用ロープ７の左側の端部から挿入して、右に向かって矢印Ａの範囲に亙って組み込んでおり、またロープ１における右に分解したストランド５ｂを、アイスプライス用ロープ７の右側の端部から挿入して、左に向かって矢印Ｂの範囲に亙って組み込んでいるのである。
【００２７】
本発明によれば、ロープ１の端部を分解したストランド５を、それぞれアイスプライス用ロープ７の左側及び右側の端部から、当該アイスプライス用ロープ７のストランド５の間に挿入して組み込むことにより、ロープ１の端部にアイスプライス６を形成することができるのである。
【００２８】
而して本発明によれば、ロープ本体２の端末においてストランド５を半分ずつ左右に分けられており、当該左右に分けたストランド５ａ、５ｂをアイスプライス用ロープ７の両端部の異なる方向から組み込んでアイスプライス６を形成しているので、そのアイスプライス６に力をかけたとしてもロープ本体２には左右のストランド５ａ、５ｂに均等に力が分散し、強度が低下することがないのである。
【００２９】
高強度ポリアリレート繊維（クラレ製ベクトラン）を使用し、１６７０Ｔ／４×３×１２×１２Ｐの組織にて１２打ちロープ１を形成した。
【００３０】
そして当該ロープ１を使用して、当該ロープの両端に本発明の構造でアイスプライスを形成した場合と、従来の構造でアイスプライスを形成した場合とについて、当該アイスプライスを指示部材に引っ掛けてアイスプライス間に力をかけ、ロープ１が破断するときの力を比較した。
本発明のアイスプライス      １８５ｋＮ
従来のアイスプライス        １６０ｋＮ
【００３１】
すなわち本発明のアイスプライス６を形成した場合には、従来の一般的なアイスプライス６を形成した場合に比べて、破断時強度が１５．６％向上しており、十分な強度が得られることが理解できる。
【００３２】
またロープ１内に長尺物を挿通した場合においては、ロープ１の端部のストランド５を分解した箇所から長尺物が突出し、その長尺物がチューブ３と金属線４である場合には、金属線４を適宜通信線として、又は電力線として、必要なところに接続して使用することができる。
【００３３】
而して前記アイスプライス６を支持部材に引っ掛けてロープ１に大きなテンションを作用させたときには、当該ロープ１に作用するテンションは、当該ロープ１の端部において左右に分かれたストランド５ａ、５ｂに分かれて作用することとなり、ストランド５ａ、５ｂが互いに拡がる方向に力が作用する。
【００３４】
従ってロープ１にかかるテンションが、当該ストランド５ａ、５ｂの間から突出したチューブ３を圧迫するような方向に作用することはなく、チューブ３が押し潰されて金属線４に押し付けられることはない。
【００３５】
従って前記テンションが作用することによりロープ１のロープ本体２が伸縮することがあっても、そのロープ本体２内に挿入された金属線４はロープ本体２に対して自由に滑ることができるので、伸縮性に乏しい金属線４とは無関係に、ロープ本体２のみが伸縮することができ、金属線４がロープ本体２の伸張により無理に引き伸ばされて不用意に破断するようなことがない。
【００３６】
従って本発明によれば、ロープ１のロープ本体２の端部の分解されたストランド５ａ、５ｂが、アイスプライス用ロープ７内に組み込まれて一体のアイスプライス６を形成し、且つそのアイスプライス６の付け根から突出したチューブ３はロープ１にかかるテンションにより押し潰されて金属線４に押し付けられることがなく、金属線４に過度のテンションが掛かって破断するようなことがないのである。
【００３７】
また前述のようにチューブ３内に金属線４が挿通されていない場合には、ロープ本体２におけるストランド５を分解した箇所からチューブ３が突出し、当該チューブ３を潜水夫などへの空気供給管として使用することができる。
【００３８】
この場合においても、ロープ１に作用するテンションは、当該ロープ１の端部において左右に分かれたストランド５ａ、５ｂに分かれて作用することとなり、アイスプライス６の付け根から突出したチューブ３はロープ１にかかるテンションにより押し潰されることがなく、潜水夫への空気の供給が途絶えるようなことはない。
【００３９】
また前記特開平１０−１６８７７２号公報に示されたように、ロープ本体２の中心軸に沿って金属線４のみが挿通された構造のロープ１においても、当該ロープ１に本発明を適用することが可能であり、金属線４が切断することがなくアイスプライス６に大きなテンションを作用させることができる。
【符号の説明】
【００４０】
１  ロープ
２  ロープ本体
３  チューブ
４  金属線
５  ストランド
６  アイスプライス
７  アイスプライス用ロープ
【図１】
2019137939.tif 000003
【図２】
2019137939.tif 000004
【図３】
2019137939.tif 000005
【図４】
2019137939.tif 000006
【図５】
2019137939.tif 000007